(57)【要約】【課題】登録済みのサービスの識別情報を用いて再生されたサービスが所望のサービスであることを容易かつ迅速に把握することができる「デジタルラジオ放送受信装置」を提供すること。【解決手段】第１の操作が行われた際に、再生手段１０によってサービスに含まれる所定の画像が表示部１９に表示されている場合に、この画像を当該サービスの識別情報と対応付けた状態で記憶手段１３に保存する画像保存手段２４と、第２の操作が行われた際に、第２の操作に対応する登録済みの識別情報に対応付けられた画像保存手段２４による保存済みの画像が存在する場合に、保存済みの画像を表示部１９に表示する画像表示手段２５とを備えたこと。【選択図】図１
2011114478.tif 000002
【特許請求の範囲】
【請求項１】
デジタルラジオ放送を受信する受信手段と、
この受信手段によって受信された前記デジタルラジオ放送に含まれるサービスを再生する再生手段と、
この再生手段によって再生されている前記サービスの識別情報を記憶手段に登録する登録手段と、
前記受信手段および前記再生手段に対して前記登録手段による登録済みの前記識別情報に対応する前記サービスを再び受信して再生するための制御を行う制御手段と、
少なくとも前記登録手段に前記識別情報の登録を指示するための第１の操作を行うことが可能とされた第１の操作手段と、
少なくとも前記制御手段に前記制御を指示するための第２の操作を行うことが可能とされた第２の操作手段と
を備えたデジタルラジオ受信装置であって、
前記第１の操作手段による前記第１の操作が行われた際に、前記再生手段によって前記サービスに含まれる所定の画像が表示部に表示されている場合に、この画像を当該サービスの前記識別情報と対応付けた状態で記憶手段に保存する画像保存手段と、
前記第２の操作手段による前記第２の操作が行われた際に、この第２の操作に対応する前記登録済みの識別情報に対応付けられた前記画像保存手段による保存済みの前記画像が存在する場合に、前記保存済みの画像を前記表示部に表示する画像表示手段と
を備えたことを特徴とするデジタルラジオ放送受信装置。
【請求項２】
前記画像表示手段は、前記第２の操作による前記登録済みの識別情報に対応するサービスの再生の開始後に、前記受信手段によって当該サービスに含まれる新たな画像が受信された場合に、前記新たな画像を表示可能であること
を特徴とする請求項１に記載のデジタルラジオ放送受信装置。
【請求項３】
前記画像表示手段は、前記新たな画像の表示を前記保存済みの画像の表示の後に行うことが可能であること
を特徴とする請求項２に記載のデジタルラジオ放送受信装置。
【請求項４】
前記画像保存手段は、同一の前記識別情報に対応する前記サービスの再生中に、前記第１の操作を含む前記第１の操作手段の複数回の操作にしたがって、前記同一の識別情報と対応付けた状態で複数の前記画像を保存することが可能であり、
前記画像表示手段は、前記第２の操作によって前記同一の識別情報に対応するサービスを再生した場合に、前記複数の画像を表示可能であること
を特徴とする請求項１乃至請求項３のいずれか１項に記載のデジタルラジオ放送受信装置。
【請求項５】
前記画像表示手段は、前記複数の画像の表示を、前記第２の操作を含む前記第２の操作手段の複数回の操作にしたがって順次択一的に行うこと
を特徴とする請求項４に記載のデジタルラジオ放送受信装置。
【請求項６】
前記画像表示手段は、前記順次択一的に表示される複数の画像の中に、前記同一の識別情報に対応するサービスの再生の開始後に前記受信手段によって受信された当該サービスに含まれる新たな画像を含めること
を特徴とする請求項５に記載のデジタルラジオ放送受信装置。
【請求項７】
前記第１の操作手段および前記第２の操作手段は、前記第１の操作および前記第２の操作の双方が可能とされた共通のキーであり、
前記第１の操作は、前記キーを長押しすることによって実行され、
前記第２の操作は、前記キーを短押しすることによって実行され、
前記第１の操作を含む前記操作手段の複数回の操作は、前記キーを複数回長押しする操作であること
を特徴とする請求項４乃至請求項６のいずれか１項に記載のデジタルラジオ放送受信装置。
【請求項８】
前記画像表示手段は、前記複数の画像の表示を、前記第２の操作を含む前記第２の操作手段の複数回の操作にしたがって順次択一的に行い、
前記第２の操作を含む前記第２の操作手段の複数回の操作は、前記キーを複数回短押しする操作であること
を特徴とする請求項７に記載のデジタルラジオ放送受信装置。
【発明の詳細な説明】
【技術分野】
【０００１】
本発明は、デジタルラジオ放送受信装置に係り、特に、登録済みのサービスの識別情報に対応するサービスを受信して再生するのに好適なデジタルラジオ放送受信装置に関する。
【背景技術】
【０００２】
従来から、欧州では、ＦＭ放送局の多局化にともなう混信に起因する音質の劣化や、移動中における良質な受信が困難であることに対処し得るラジオ放送の受信方式として、欧州規格（Ｅｕｒｅｋａ  １４７）に準拠したＤＡＢ（Digital Audio Broadcasting）が実用化されていた。
【０００３】
ＤＡＢにおいては、変調方式として、フェージングやマルチパスの影響が少ないＯＦＤＭ（直交周波数分割多重方式：Orthogonal Frequency Division Multiplexing)が採用され、圧縮方式として、１．５ＭＨｚの伝送帯域幅で多数のオーディオ放送（すなわちオーディオサービス）とデータ放送（すなわちデータサービス）とを可能にしたMPEG Audio Layer 2が採用されている。
【０００４】
ＤＡＢのサービス構造においては、１．５ＭＨｚの伝送帯域幅に１つのアンサンブルを割り当てており、このアンサンブルは、キャリアの中心周波数が同一の電波で伝送されるサービスの単位とされている。また、１つのアンサンブルには、複数のサービスすなわち番組が属しており、各サービスは、複数のサービスコンポーネントによって構成されている。また、アンサンブルおよびサービスには、それぞれを識別するＩＤすなわちアンサンブルＩＤ、サービスＩＤが付与されていた。
【０００５】
このようなＤＡＢの放送を聴視する場合には、アンサンブル（換言すれば受信周波数）を選択したうえで、選択されたアンサンブルに含まれるサービスを選択することになる。
【０００６】
ところで、従来から、このようなＤＡＢを受信するＤＡＢ受信機には、所望のサービスの再生を簡便ならしめる手段としてプリセットキーが備えられていた。  この種のプリセットキーを備えたＤＡＢ受信機によれば、例えば、ユーザが、自分の好みのサービスが再生されているときにプリセットキーを操作することによって、そのサービスに割り当てられているサービスＩＤ等をプリセット情報としてメモリに登録しておくことができる。そして、プリセット情報の登録後、当該プリセットキーを再び操作することによって、登録済みのプリセット情報をメモリから読み出し、読み出されたプリセット情報に対応するサービスをすみやかに受信して再生することができる。
【０００７】
なお、このようなＤＡＢ放送に関する技術としては、例えば、特許文献１および特許文献２に示すような先行技術が提案されている。
【先行技術文献】
【特許文献】
【０００８】
【特許文献１】特開２００１−２６７９４５号公報
【特許文献２】特開２００４−１４６９４８号公報
【発明の概要】
【発明が解決しようとする課題】
【０００９】
しかしながら、前述のようなプリセットキーを用いた登録済みのプリセット情報に対応するサービスの再生を行う場合には、プリセット情報の登録からこのプリセット情報に対応するサービスの再生までの間に時間が経過していることによって、サービス内容が大きく変化していることがある。
【００１０】
このような場合に、ユーザは、登録済みのプリセット情報を用いて再生されているサービスが、当該プリセット情報を登録した際に再生されていた所望のサービスであるか否かを聴取内容に基づいて判断するのに時間がかかってしまっていた。
【００１１】
この結果、所望のサービスを迅速に再生することができるといったプリセット情報を登録することによる本来の効果が、プリセット情報を用いて再生されたサービスが所望のものであるか否かの判断が難しいことによって半減してしまっていた。
【００１２】
そこで、本発明は、このような点に鑑みなされたものであり、登録済みのサービスの識別情報を用いて再生されたサービスが所望のサービスであることを容易かつ迅速に把握することができるデジタルラジオ放送受信装置を提供することを目的とするものである。
【課題を解決するための手段】
【００１３】
前述した目的を達成するため、本発明に係るデジタルラジオ放送受信装置は、デジタルラジオ放送を受信する受信手段と、この受信手段によって受信された前記デジタルラジオ放送に含まれるサービスを再生する再生手段と、この再生手段によって再生されている前記サービスの識別情報を記憶手段に登録する登録手段と、前記受信手段および前記再生手段に対して前記登録手段による登録済みの前記識別情報に対応する前記サービスを再び受信して再生するための制御を行う制御手段と、少なくとも前記登録手段に前記識別情報の登録を指示するための第１の操作を行うことが可能とされた第１の操作手段と、少なくとも前記制御手段に前記制御を指示するための第２の操作を行うことが可能とされた第２の操作手段とを備えたデジタルラジオ受信装置であって、前記第１の操作手段による前記第１の操作が行われた際に、前記再生手段によって前記サービスに含まれる所定の画像が表示部に表示されている場合に、この画像を当該サービスの前記識別情報と対応付けた状態で記憶手段に保存する画像保存手段と、前記第２の操作手段による前記第２の操作が行われた際に、この第２の操作に対応する前記登録済みの識別情報に対応付けられた前記画像保存手段による保存済みの前記画像が存在する場合に、前記保存済みの画像を前記表示部に表示する画像表示手段とを備えたことを特徴としている。
【００１４】
そして、このような構成によれば、再生中のサービスの識別情報を登録手段によって登録する際に、画像保存手段により、当該サービスに含まれる表示中の所定の画像を当該サービスの識別情報と対応付けた状態で保存することができ、制御手段の制御による登録済みの識別情報に対応するサービスの受信・再生の際に、画像表示手段により、登録済みの識別情報に対応付けられた画像保存手段による保存済みの画像を表示することができるので、登録済みの識別情報を用いて再生されているサービスが、当該識別情報を登録した際に再生されていた所望のサービスであるか否かを、視覚および過去の記憶を通じて容易かつ迅速に判断することができる。
【００１５】
また、前記画像表示手段は、前記第２の操作による前記登録済みの識別情報に対応するサービスの再生の開始後に、前記受信手段によって当該サービスに含まれる新たな画像が受信された場合に、前記新たな画像を表示可能であってもよい。
【００１６】
そして、このような構成によれば、登録済みの識別情報に対応するサービスに含まれる最新の画像も交えて、登録済みの識別情報を用いて再生されているサービスが所望のサービスであるか否かを判断することができる。
【００１７】
さらに、前記画像表示手段は、前記新たな画像の表示を前記保存済みの画像の表示の後に行うことが可能であってもよい。
【００１８】
そして、このような構成によれば、新たな画像の受信を待つことによって保存済みの画像の表示が遅延することを防止することができるので、保存済みの画像を迅速に表示することができる。
【００１９】
さらにまた、前記画像保存手段は、同一の前記識別情報に対応する前記サービスの再生中に、前記第１の操作を含む前記第１の操作手段の複数回の操作にしたがって、前記同一の識別情報と対応付けた状態で複数の前記画像を保存することが可能であり、前記画像表示手段は、前記第２の操作によって前記同一の識別情報に対応するサービスを再生した場合に、前記複数の画像を表示可能であってもよい。
【００２０】
そして、このような構成によれば、複数の画像に基づいて、登録済みの識別情報を用いて再生されているサービスが所望のサービスであるか否かを更に確実に判断することができる。
【００２１】
また、前記画像表示手段は、前記複数の画像の表示を、前記第２の操作を含む前記第２の操作手段の複数回の操作にしたがって順次択一的に行うようにしてもよい。
【００２２】
そして、このような構成によれば、複数の画像を、ひとまとまりの一覧状態ではなく、これらがそれぞれ保存された際に表示されていた状態と同じ個別の状態で順次切り替え表示することができるので、ユーザの過去の記憶に適合した状態で画像を表示することができる。
【００２３】
さらに、前記画像表示手段は、前記順次択一的に表示される複数の画像の中に、前記同一の識別情報に対応するサービスの再生の開始後に前記受信手段によって受信された当該サービスに含まれる新たな画像を含めるようにしてもよい。
【００２４】
そして、このような構成によれば、複数の保存済みの画像に新たな画像も交えて、登録済みの識別情報を用いて再生されているサービスが所望のサービスであるか否かを判断することができる。
【００２５】
さらにまた、前記第１の操作手段および前記第２の操作手段は、前記第１の操作および前記第２の操作の双方が可能とされた共通のキーであり、前記第１の操作は、前記キーを長押しすることによって実行され、前記第２の操作は、前記キーを短押しすることによって実行され、前記第１の操作を含む前記操作手段の複数回の操作は、前記キーを複数回長押しする操作であってもよい。
【００２６】
そして、このような構成によれば、簡便な操作により、再生中のサービスの識別情報の登録にともなう当該識別情報に対応付けた複数の画像の保存と、登録済みの識別情報に対応するサービスの再生にともなう当該識別情報に対応付けられた保存済みの画像の表示とを行うことができる。
【００２７】
また、前記画像表示手段は、前記複数の画像の表示を、前記第２の操作を含む前記第２の操作手段の複数回の操作にしたがって順次択一的に行い、前記第２の操作を含む前記第２の操作手段の複数回の操作は、前記キーを複数回短押しする操作であってもよい。
【００２８】
そして、このような構成によれば、簡便な操作により、同一の識別情報に対応付けられた複数の保存済みの画像の順次択一的な表示を行うことができる。
【発明の効果】
【００２９】
本発明によれば、登録済みのサービスの識別情報を用いて再生されたサービスが所望のサービスであることを容易かつ迅速に把握することができる。
【図面の簡単な説明】
【００３０】
【図１】本発明に係るデジタルラジオ放送受信装置の第１実施形態を示すブロック図
【図２】本発明に係るデジタルラジオ放送受信装置の第１実施形態において、プリセット登録にともなうスライドショーの保存のための操作を示す概念図
【図３】本発明に係るデジタルラジオ放送受信装置の第１実施形態において、プリセット呼び出しにともなう呼び出し対象プリセット情報に対応するスライドショーの表示のための操作を示す概念図
【図４】本発明に係るデジタルラジオ放送受信装置の第１実施形態の変形例として、同一のプリセット情報に対応付けた２つのスライドショーの保存のための操作を示す概念図
【図５】本発明に係るデジタルラジオ放送受信装置の第１実施形態の変形例として、同一のプリセット情報に対応付けられた２つのスライドショーの表示のための操作を示す概念図
【図６】本発明に係るデジタルラジオ放送受信装置の第１実施形態の変形例として、同一のプリセット情報に対応付けられた３つのスライドショーの表示のための操作を示す概念図
【図７】本発明に係るデジタルラジオ放送受信装置の第１実施形態を示す第１のフローチャート
【図８】本発明に係るデジタルラジオ放送受信装置の第１実施形態を示す第２のフローチャート
【図９】本発明に係るデジタルラジオ放送受信装置の第２実施形態を示すフローチャート
【図１０】本発明に係るデジタルラジオ放送受信装置の第２実施形態の変形例を示す図
【発明を実施するための形態】
【００３１】
（第１実施形態）
以下、本発明に係るデジタルラジオ放送受信装置の実施形態として、ＤＡＢ受信機の第１実施の形態について、図１乃至図８を参照して説明する。
【００３２】
図１は、本実施形態におけるＤＡＢ受信機１の構成を示すブロック図である。本実施形態におけるＤＡＢ受信機１は、たとえば車載機等の移動体用の受信機として好適に適用されるものであり、このＤＡＢ受信機１は、図１に示すように、受信アンテナ３が接続された受信手段としてのＤＡＢチューナ２を有している。
【００３３】
このＤＡＢチューナ２は、ユーザ操作（後述するプリセット呼び出しのための操作を含む）にともなって選択された周波数に対応するＲＦ信号すなわちＤＡＢの搬送波を、受信アンテナ３を介して受信信号として受信するようになっている。
【００３４】
そして、ＤＡＢチューナ２は、受信した受信信号の周波数（例えば、１５０ＭＨｚ〜１．５ＧＨｚ）を、後段側での各信号処理が可能なように中間周波数（例えば、２ＭＨｚ）まで落とし、この中間周波数の受信信号を後段へと出力するようになっている。
【００３５】
また、図１に示すように、ＤＡＢチューナ２の後段には、インターフェース（ＩＦ）Ａ／Ｄコンバータ４が接続されており、このインターフェースＡ／Ｄコンバータ４には、ＤＡＢチューナ２から出力された受信信号が入力されるようになっている。
【００３６】
そして、インターフェースＡ／Ｄコンバータ４は、入力された受信信号を、所定のビット数（例えば、１０ｂｉｔ）のデジタルデータにＡ／Ｄ変換し、このＡ／Ｄ変換によって得られたデータを後段へと出力するようになっている。
【００３７】
さらに、図１に示すように、インターフェースＡ／Ｄコンバータ４の後段には、ベースバンドデコーダ５が接続されており、このベースバンドデコーダ５には、インターフェースＡ／Ｄコンバータ４から出力されたデータが入力されるようになっている。
【００３８】
そして、ベースバンドデコーダ５は、入力されたデータをデコードし、このデコードによって得られたデータを後段へと出力するようになっている。
【００３９】
より具体的には、ベースバンドデコーダ５は、まず、図１に示すＦＦＴ部７によって、インターフェースＡ／Ｄコンバータ４側から入力されたデータに対して、多重化されたキャリアのデータを取り出すための高速フーリエ変換を行うようになっている。
【００４０】
次いで、ベースバンドデコーダ５は、図１に示すデマルチプレクサ（Demux）部８により、ＦＦＴ部７によって取り出されたキャリアのデータに対して、多重化された状態を解除するための処理を行うようになっている。
【００４１】
次いで、ベースバンドデコーダ５は、再生手段を構成する図１に示すチャンネルデコーダ部１０により、デマルチプレクサ部８によって多重化が解除された後のキャリアのデータすなわちＤＡＢフレームデータから、ユーザ操作（後述するプリセット呼び出しのための操作を含む）によって選択されたサービスを抽出する処理を行うようになっている。なお、サービスには、オーディオサービスだけでなく、オーディオサービスに対応するＭＯＴ（Multimedia Object Transfer）オブジェクトが含まれる場合がある。
【００４２】
ここで、ＭＯＴオブジェクトは、ＤＡＢによって提供されるサービスのうちのデータサービス（すなわちデータ放送）に属するものであり、画像、文字またはＨＴＭＬファイル等のマルチメディアに関する内容を取り扱うデータとして知られている。そして、このＭＯＴオブジェクトの１つとしてスライドショーがあり、このスライドショーは、例えば、番組ロゴや放送中の音楽のＣＤジャケット等を示す静止画（ＪＰＥＧデータ）または動画からなる画像として知られている。このようなＭＯＴオブジェクトを伝送する方式としては、ＭＯＴオブジェクトをＰＡＤ（Program Associated Data：番組関連情報)として伝送する方式と、パケットとして伝送する方式との２種類がある。いずれの方式で伝送されたＭＯＴオブジェクトを受信するかについては、受信機１側における受信モードの設定によって選択することができる。
【００４３】
さらに、ベースバンドデコーダ５は、チャンネルデコーダ部１０により、ＤＡＢフレームデータから、ユーザ操作にともなって選択されたサービスの識別情報として、当該サービスのサービスＩＤ、当該サービスが属するアンサンブルに対応するアンサンブルＩＤおよびこのアンサンブルに対応する受信周波数等を抽出するようになっている。この識別情報は、たとえばＤＡＢフレームデータ中のＦＩＣ（Fast Information Channel）に基づいて抽出することができる。
【００４４】
次いで、ベースバンドデコーダ５は、再生手段を構成する図１に示すＰＡＤデコーダ部１１またはパケットモードデコーダ部１２により、チャンネルデコーダ部１０によって抽出されたＭＯＴオブジェクトのデータをデコードしてＭＯＴのストリームを取り出すようになっている。ただし、ＰＡＤデコーダ部１１によってデコードされるＭＯＴオブジェクトのデータは、ＰＡＤとして伝送されたものに限定される。また、パケットモードデコーダ部１２によってデコードされるＭＯＴオブジェクトのデータは、パケットとして伝送されたものに限定される。これらＰＡＤデコーダ部１１またはパケットモードデコーダ部１２へのデータの振り分けは、チャンネルデコーダ部１０によって行う。
【００４５】
また、このとき、ベースバンドデコーダ５は、再生手段を構成する図１に示すオーディオデコーダ部１４により、チャンネルデコーダ部１０によって抽出されたオーディオサービスのデータをデコードするようになっている。
【００４６】
以上のように構成されたベースバンドデコーダ５におけるＰＡＤデコーダ部１１およびパケットモードデコーダ部１２の後段には、図１に示すように、ＣＰＵ等からなるマイコン１５が接続されている。
【００４７】
このマイコン１５には、ベースバンドデコーダ５によるデコードによって得られたデータとして、ＰＡＤデコーダ部１１またはパケットモードデコーダ部１２によるデコードによって得られたストリームが入力されるようになっている。この入力されたストリームは、マイコン１５の記憶領域に前記識別情報と対応付けられた状態で一時的に保持されるようになっている。
【００４８】
また、マイコン１５には、チャンネルデコーダ部１０側から前記識別情報が入力されるようになっている。この入力された識別情報は、マイコン１５の記憶領域に一時的に保持されるようになっている。
【００４９】
ここで、図１に示すように、マイコン１５は、再生手段を構成するＭＯＴデコーダ部１６を有しており、このＭＯＴデコーダ部１６は、ベースバンドデコーダ５側から入力されたストリームをデコードするようになっている。このデコードにより、ストリームの中から、スライドショー用の画像ファイル（例えば、ＪＰＥＧファイル）を取り出すことができるようになっている。
【００５０】
また、図１に示すように、マイコン１５には、その記憶領域内にスライドショー用のアプリケーション１７が格納されており、マイコン１５は、このアプリケーション１７を実行することによってＭＯＴデコーダ部１６において取り出されたスライドショー用の画像ファイルを展開可能とされている。
【００５１】
一方、図１に示すように、ベースバンドデコーダ５におけるオーディオデコーダ部１４の後段には、スピーカ１８が接続されており、このスピーカ１８からは、オーディオデコーダ部１４によってデコードされたオーディオサービスが音声出力すなわち再生されるようになっている。
【００５２】
さらに、図１に示すように、マイコン１５の後段（出力側）には、ディスプレイ１９が接続されており、このディスプレイ１９には、アプリケーション１７によるスライドショー用の画像ファイルの展開結果として、スライドショーが表示すなわち再生されるようになっている。なお、ディスプレイ１９には、サービスＩＤ等も表示可能とされている。
【００５３】
さらにまた、マイコン１５の前段（入力側）には、操作部２０が接続されており、この操作部２０は、ＤＡＢ放送の受信のための種々の入力操作をマイコン１５に対して行うことが可能とされている。この操作部２０は、ディスプレイ１９のタッチパネルやキー操作部等から構成されている。
【００５４】
また、図１に示すように、マイコン１５は、その機能ブロックの１つとして、登録手段および制御手段としてのプリセット登録／呼び出し部２３を有している。
【００５５】
さらに、図１に示すように、マイコン１５には、記憶手段としての不揮発性メモリからなるメモリ１３が接続されている。
【００５６】
さらにまた、図１に示すように、操作部２０には、互いに異なる番号（例えば、１番〜６番）が割り当てられた複数（例えば、６個）のプリセットキー２１が含まれている。プリセットキー２１の番号については、マイコン１５によって予め認識されている。
【００５７】
各プリセットキー２１は、第１の操作手段および第２の操作手段の双方として機能するようになっている。
【００５８】
すなわち、ユーザは、プリセットキー２１を一定時間以上押し下げ続ける長押しを行うことによって、プリセット登録／呼び出し部２３に対して、受信・再生中のサービスに対応する前記識別情報のうちの所定の情報（以下、プリセット情報と称する）の登録（以下、プリセット登録と称する）を指示するための第１の操作を行うことができるようになっている。なお、プリセット情報は、前記識別情報のうち、少なくとも、サービスＩＤと受信周波数とを含んでいればよい。
【００５９】
一方、ユーザは、プリセットキー２１を一定時間未満押し下げる短押しを行うことによって、プリセット登録／呼び出し部２３に対してプリセット呼び出しを指示するための第２の操作を行うことができるようになっている。ただし、プリセット呼び出しとは、ＤＡＢチューナ２およびチャンネルデコーダ部１０に対して、短押しが行われたプリセットキー２１の番号に対応付けられたプリセット登録済みのプリセット情報（以下、登録済みプリセット情報と称する）に対応するサービスの受信および再生のための制御を行うことをいうものとする。
【００６０】
プリセット登録／呼び出し部２３は、メモリコントローラとしての機能を有しており、メモリ１３の記憶領域を、プリセットキー２１の番号にそれぞれ対応する複数のバンクごとに管理するようになっている。
【００６１】
また、プリセット登録／呼び出し部２３は、プリセットキー２１の長押しによる第１の操作によってプリセット登録が指示された場合には、プリセット登録として、長押しされたプリセットキー２１の番号に対応するメモリ１３のバンクにプリセット情報を登録する処理を行うようになっている。この処理によって登録された登録済みプリセット情報のうちの所定の情報（例えば、サービスＩＤ）は、プリセット登録／呼び出し部２３によってディスプレイ１９に表示されるようになっている。
【００６２】
さらに、プリセット登録／呼び出し部２３は、プリセットキー２１の短押しによる第２の操作によってプリセット呼び出しが指示された場合には、プリセット呼び出しを行うようになっている。このプリセット呼び出しにおいては、まず、短押しが行われたプリセットキー２１の番号に対応するメモリ１３のバンク内に登録済みプリセット情報が存在する場合には、その登録済みプリセット情報（以下、呼び出し対象プリセット情報と称する）をメモリ１３から読み出す。次いで、ＤＡＢチューナ２に対して、呼び出し対象プリセット情報に該当する受信周波数（以下、該当受信周波数と称する）を設定するための受信周波数設定信号（制御信号）を出力する。これにより、該当受信周波数がＤＡＢチューナ２に設定されて、設定された該当受信周波数の受信信号がＤＡＢチューナ２によって受信されることになる。次いで、チャンネルデコーダ部１０に対して、呼び出し対象プリセット情報に該当するサービスＩＤ（以下、該当サービスＩＤと称する）に対応するサービスを抽出するためのサービス指定信号（制御信号）を出力する。これにより、チャンネルデコーダ部１０によって、ＤＡＢチューナ２が受信した該当受信周波数の受信信号に基づくＤＡＢフレームデータから、該当サービスＩＤに対応するサービス（ただし、存在する場合に限定される）が抽出されることになる。そして、この抽出されたサービスにおけるオーディオサービスは、オーディオデコーダ部１４を経てスピーカ１８から音声出力され、ＭＯＴオブジェクトは、ＭＯＴデコーダ部１６を経てディスプレイ１９に表示されることになる。また、このとき、呼び出し対象プリセット情報のうちの所定の情報（例えば、該当サービスＩＤ）を、ディスプレイ１９に表示する。このようにして、プリセットキー２１の短押しにともなうプリセット呼び出しが行われ、このプリセット呼び出しの結果として、呼び出し対象プリセット情報に対応するサービスが受信されて再生されるようになっている。
【００６３】
上記構成に加えて、更に、マイコン１５は、その機能ブロックの１つとして、画像保存手段としての図１に示すＳＬＳ（スライドショー）保存処理部２４を有している。このＳＬＳ保存処理部２４は、プリセット登録が指示された時点で、プリセット情報に対応するスライドショーが表示されている場合、換言すれば、プリセット情報に対応するスライドショー用の画像ファイルがマイコン１５に保持されている場合に、当該スライドショー用の画像ファイルを、プリセット情報と対応付けた状態でメモリ１３に保存するようになっている。このスライドショー用の画像ファイルとプリセット情報との対応付けは、例えば、スライドショー用の画像ファイルに、プリセット情報を示すコードを付与すること等によって行えばよい。
【００６４】
ここで、このようなスライドショー用の画像ファイルの保存は、例えば、図２（ａ）に示すように、ＤＡＢの再生中に、再生中のオーディオサービスに対応するスライドショー画面Ａがディスプレイ１９に表示されている状態で、図２（ｂ）に示すように、ユーザによってプリセットキー２１が長押しされた場合に行われることになる。
【００６５】
図１に戻って、マイコン１５は、その機能ブロックの１つとして、画像表示手段としてのＳＬＳ表示処理部２５を有している。このＳＬＳ表示処理部２５は、プリセット呼び出しが指示された際に、呼び出し対象プリセット情報に対応するスライドショー用の画像ファイル（以下、対応画像ファイルと称する）２６がＳＬＳ保存処理部２４による保存済みの画像としてメモリ１３に保存されている場合には、対応画像ファイル２６をメモリ１３から読み出すようになっている。そして、ＳＬＳ表示処理部２５は、読み出された対応画像ファイル２６をアプリケーション１７によって展開することによって、呼び出し対象プリセット情報に対応するスライドショーをディスプレイ１９に表示するようになっている。なお、このスライドショーの表示は、プリセット登録／呼び出し部２３が、呼び出し対象プリセット情報に対応するサービスがチャンネルデコーダ部１０によって取得されたことを確認したうえで行うようにしてもよい。
【００６６】
ここで、例えば、図２に示したプリセット登録の完了後、図３（ａ）に示すように、図２（ｂ）において長押しされたプリセットキー２１と同じ番号のプリセットキー２１がユーザによって短押しされた場合には、図３（ｂ）に示すように、図２（ａ）に示したものと同様のスライドショー画面すなわちプリセット登録の際に表示されていたスライドショー画面Ａと同一のスライドショー画面Ａが表示されることになる。
【００６７】
これにより、ユーザは、プリセット呼び出しによって受信されて再生されているオーディオサービスが所望のサービスであることを、視覚および過去（プリセット登録時）の記憶を通じて容易かつ迅速に把握することができる。
【００６８】
なお、本実施形態の変形例（以下、本変形例と称する）として、次のような構成を採用してもよい。
【００６９】
本変形例は、同一のサービスＩＤに対応するサービスの受信中に、第１回目のプリセットキー２１の長押し（すなわち、第１の操作）にともなうプリセット登録が行われた後に、時間をおいて第１回目の長押しが行われたプリセットキー２１と同番号のプリセットキー２１を用いた第２回目以降の長押しが行われた場合に適用可能な構成である。
【００７０】
すなわち、本変形例において、ＳＬＳ保存処理部２４は、第２回目以降の長押しが行われた時点でスライドショーが表示されている場合には、その表示されているスライドショーに対応する画像ファイルを、第１回目の長押しによって登録された登録済みプリセット情報と対応付けた状態でメモリ１３に保存する。
【００７１】
例えば、図４（ａ）および図４（ｂ）に示すように、図２に示した場合と同様に、スライドショー画面Ａが表示されている状態で、第１回目のプリセットキー２１の長押しにともなうプリセット登録を行った後、図４（ａ）と同一のオーディオサービスの再生中に、図４（ｃ）に示すように、スライドショー画面が画面Ｂに変化したとする。そして、これを受けてユーザが、図４（ｄ）に示すように、第１回目と同番号のプリセットキー２１を用いた第２回目の長押しを行ったとする。この場合には、図４（ｅ）に示すように、第１回目の長押しすなわちプリセット登録が指示された時点で表示されていたスライドショー画面Ａに対応する画像ファイルと、第２回目の長押しが行われた時点で表示されていたスライドショー画面Ｂに対応する画像ファイルとが、同一のプリセット情報に対応付けられた状態でメモリ１３に保存されることになる。
【００７２】
そして、本変形例においては、このような同番号のプリセットキー２１を用いた複数回の長押しにともなう複数の画像ファイルの保存の後に、同プリセットキー２１の短押しにともなうプリセット呼び出しが指示された場合に、ＳＬＳ表示処理部２５が、当該複数の画像ファイルに対応する複数のスライドショー画面を順次表示可能とされている。
【００７３】
例えば、図４に示したような２つのスライドショー画面Ａ、Ｂが保存された後に、図５（ａ）に示すように、図４において長押しされたプリセットキー２１と同番号のプリセットキー２１を用いて第１回目の短押し（すなわち、第２の操作）が行われたとする。この場合には、図５（ｂ）に示すように、図４（ｂ）における第１回目の長押しにともなって保存された画像ファイルに対応するスライドショー画面Ａが表示されることになる。次いで、図５（ｃ）に示すように、図５（ａ）と同番号のプリセットキー２１を用いて第２回目の短押しが行われたとする。この場合には、図５（ｄ）に示すように、図４（ｄ）における第２回目の長押しにともなって保存された画像ファイルに対応するスライドショー画面Ｂが表示されることになる。次いで、図５（ｅ）に示すように、図５（ａ）と同番号のプリセットキー２１を用いて第３回目の短押しが行われたとする。この場合には、図５（ｂ）と同一のスライドショー画面Ａが表示されることになる。すなわち、図５においては、プリセットキー２１の短押しにともなって、２つのスライドショー画面Ａ、Ｂがトグルで順次繰り返し切り替え表示されることになる。
【００７４】
このような表示態様は、例えば、図６に示すような３つのスライドショー画面Ａ〜Ｃ等の２つ以外の複数のスライドショー画面についても適用することができる。
【００７５】
本変形例によれば、ユーザが、複数の過去の記憶に基づいて、再生中のオーディオデータサービスが所望のものであることを更に容易に把握することができる。
【００７６】
なお、ＳＬＳ表示処理部２５は、このような複数のスライドショー画面の切り替え表示を、所定時間ごとに順次自動的に行うようにしてもよい。
【００７７】
次に、本実施形態の作用について説明する。なお、以下においては、まず、プリセットキー２１の長押しが行われる場合におけるＤＡＢ受信機１の動作について図７を参照して説明した後に、プリセットキー２１の短押しが行われる場合におけるＤＡＢ受信機１の動作について図８を参照して説明する。
【００７８】
図７においては、まず、ステップ１（ＳＴ１）において、操作部２０を用いたユーザ操作によって選択されたサービスを受信して再生する。ただし、このときのユーザ操作は、プリセット呼び出しのための操作ではなく、受信周波数の選択操作をともなう通常のサービスの選択受信操作であるものとする。
【００７９】
次いで、ステップ２（ＳＴ２）において、プリセット登録／呼び出し部２３により、プリセットキー２１の長押しが行われたか否かを判定し、肯定的な判定結果が得られた場合にはステップ３（ＳＴ３）に進み、否定的な判定結果が得られた場合にはステップ１０（ＳＴ１０）に進む。
【００８０】
ここで、ステップ２（ＳＴ２）からステップ３（ＳＴ３）に進んだ場合には、このステップ３（ＳＴ３）において、ＳＬＳ保存処理部２４により、スライドショーの表示中であるか否かを判定する。そして、ステップ３（ＳＴ３）において肯定的な判定結果が得られた場合にはステップ４（ＳＴ４）に進み、否定的な判定結果が得られた場合にはステップ８（ＳＴ８）に進む。
【００８１】
一方、ステップ２（ＳＴ２）からステップ１０（ＳＴ１０）に進んだ場合には、このステップ１０（ＳＴ１０）において、プリセット登録／呼び出し部２３により、ステップ１（ＳＴ１）において再生されたサービスが再生中であるか否かをサービスＩＤ等に基づいて判定する。そして、ステップ１０（ＳＴ１０）において肯定的な判定結果が得られた場合にはステップ２（ＳＴ２）に戻り、否定的な判定結果が得られた場合には処理を終了する。
【００８２】
次いで、ステップ３（ＳＴ３）からステップ４（ＳＴ４）に進んだ場合には、このステップ４（ＳＴ４）において、プリセット登録／呼び出し部２３により、再生中のサービスに対応するプリセット情報（サービスＩＤ等）が、登録済みプリセット情報としてメモリ１３に登録済みであるか否かを判定する。そして、ステップ４（ＳＴ４）において肯定的な判定結果が得られた場合にはステップ５（ＳＴ５）に進み、否定的な判定結果が得られた場合にはステップ７（ＳＴ７）に進む。
【００８３】
一方、ステップ３（ＳＴ３）からステップ８（ＳＴ８）に進んだ場合には、このステップ８（ＳＴ８）において、プリセット登録／呼び出し部２３により、ステップ４（ＳＴ４）と同様の判定を行う。そして、ステップ８（ＳＴ８）において否定的な判定結果が得られた場合にはステップ９（ＳＴ９）に進み、肯定的な判定結果が得られた場合には処理を終了する。
【００８４】
次いで、ステップ４（ＳＴ４）からステップ５（ＳＴ５）に進んだ場合には、このステップ５（ＳＴ５）において、ＳＬＳ保存処理部２４およびプリセット登録／呼び出し部２３により、スライドショーの保存をともなうプリセット登録を行ってステップ６（ＳＴ６）に進む。ここで、スライドショーの保存をともなうプリセット登録とは、再生中のサービスのプリセット情報をプリセット登録／呼び出し部２３によってメモリ１３に登録するとともに、表示中のスライドショーをＳＬＳ表示処理部２５によってプリセット情報と対応付けた状態でメモリ１３に登録することである。
【００８５】
一方、ステップ４（ＳＴ４）からステップ７（ＳＴ７）に進んだ場合には、このステップ７（ＳＴ７）において、ＳＬＳ保存処理部２４により、表示中のスライドショーを登録済みプリセット情報と対応付けた状態でメモリ１３に保存してステップ６（ＳＴ６）に進む。
【００８６】
もう一方で、ＳＴ８（ＳＴ８）からステップ９（ＳＴ９）に進んだ場合には、このステップ９（ＳＴ９）において、プリセット登録／呼び出し部２３により、通常のプリセット登録を行ってステップ６（ＳＴ６）に進む。ここで、通常のプリセット登録とは、スライドショーの保存をともなわないプリセット情報の登録のことである。
【００８７】
最後に、ステップ６（ＳＴ６）において、プリセット登録／呼び出し部２３により、ステップ２（ＳＴ２）において長押しが行われたと判定されたプリセットキー２１と同番号のプリセットキー２１の短押しが行われたか否かを判定する。そして、このステップ６（ＳＴ６）において肯定的な判定結果が得られた場合には処理を終了して図８の処理に移行し、否定的な判定結果が得られた場合にはステップ２（ＳＴ２）に戻る。
【００８８】
次に、図８の処理について説明する。なお、以下の説明にあたっては、便宜上、呼び出し対象プリセット情報に対応するサービスが現在も放送されているものとする。
【００８９】
図８においては、まず、ステップ１１において、プリセット登録／呼び出し部２３により、図８の処理の開始時における短押しが、図５および図６に示したような保存済みの複数のスライドショーをトグルによって順次切り替え表示するための操作（トグル操作）であるか否かを判定する。この判定は、プリセットキー２１の短押しが、同番号のプリセットキー２１についての図８の処理開始時点における第１回目の短押しすなわち第２の操作であるか、または、第２回目以降の短押しであるかに基づいて行うことができる。そして、ステップ１１（ＳＴ１１）において肯定的な判定結果が得られた場合にはステップ１２（ＳＴ１２）に進み、否定的な判定結果が得られた場合にはステップ１７（ＳＴ１７）に進む。
【００９０】
ここで、ステップ１２（ＳＴ１２）〜ステップ１６（ＳＴ１６）までの処理について先に説明すると、まず、ステップ１２（ＳＴ１２）において、プリセット登録／呼び出し部２３により、プリセット呼び出しを開始する。すなわち、短押しが行われたプリセットキー２１の番号に対応する呼び出し対象プリセット情報をメモリ１３から読み出してステップ１３（ＳＴ１３）に進む。
【００９１】
次いで、ステップ１３（ＳＴ１３）において、ＳＬＳ表示処理部２５により、ステップ１２（ＳＴ１２）において読み出された呼び出し対象プリセット情報に対応付けられた対応画像ファイル２６がメモリ１３に保存されているか否かを判定する。そして、このステップ１３（ＳＴ１３）において肯定的な判定結果が得られた場合にはステップ１４（ＳＴ１４）に進み、否定的な判定結果が得られた場合にはステップ１６（ＳＴ１６）に進む。
【００９２】
ここで、ステップ１３（ＳＴ１３）からステップ１４（ＳＴ１４）に進んだ場合には、このステップ１４（ＳＴ１４）において、ＳＬＳ表示処理部２５およびプリセット登録／呼び出し部２３により、保存済みのスライドショーの表示をともなうプリセット呼び出しによるサービスの受信・再生を行う。すなわち、プリセット登録／呼び出し部２３のプリセット呼び出しにより、呼び出し対象プリセット情報に対応するサービスを受信して再生するとともに、ＳＬＳ表示処理部２５により、呼び出し対象プリセット情報に対応付けられた対応画像ファイル２６を展開してスライドショーを表示する。そして、このステップ１４（ＳＴ１４）の処理の後は、ステップ１５（ＳＴ１５）に進む。
【００９３】
一方、ステップ１３（ＳＴ１３）からステップ１６（ＳＴ１６）に進んだ場合には、このステップ１６（ＳＴ１６）において、プリセット登録／呼び出し部２３のプリセット呼び出しにより、スライドショーの表示をともなわない通常のプリセット呼び出しによるサービスの受信・再生を行って処理を終了する。
【００９４】
次いで、ステップ１５（ＳＴ１５）において、ＳＬＳ表示処理部２５により、図８の処理の開始時において短押しされていたプリセットキー２１と同番号のプリセットキー２１の短押しが行われたか否かを判定する。そして、このステップ１５（ＳＴ１５）において肯定的な判定結果が得られた場合にはステップ１１（ＳＴ１１）に戻り、否定的な判定結果が得られた場合には処理を終了する。
【００９５】
次に、ステップ１７（ＳＴ１７）以降の処理について説明すると、まず、ステップ１７（ＳＴ１７）において、ＳＬＳ表示処理部２５により、現在表示されているスライドショーと切り替えられるべき他のスライドショー用の画像ファイルが存在するか否かを判定する。そして、このステップ１７（ＳＴ１７）において肯定的な判定結果が得られた場合にはステップ１８（ＳＴ１８）に進み、否定的な判定結果が得られた場合には処理を終了する。
【００９６】
次いで、ステップ１８（ＳＴ１８）において、ＳＬＳ表示処理部２５により、スライドショーの切り替え表示を行ってステップ１５（ＳＴ１５）に進む。
【００９７】
（第２実施形態）
次に、ＤＡＢ受信機１の第２実施形態について、第１実施形態との相違点を中心に図９および図１０を参照して説明する。なお、本実施形態におけるＤＡＢ受信機１は、基本的構成が第１実施形態と同様であるので、第１実施形態と同一の符号を用いて説明する。
【００９８】
本実施形態におけるＤＡＢ受信機１の第１実施形態との差異は、ＳＬＳ表示処理部２５の動作にある。
【００９９】
すなわち、本実施形態において、ＳＬＳ表示処理部２５は、プリセット呼び出しによるサービスの再生の開始後に、この再生中のサービスについて、メモリ１３に未保存の新たなスライドショー用の画像ファイルが受信された場合に、当該画像ファイルに対応するスライドショー（以下、呼び出し後スライドショーと称する）を表示するようになっている。
【０１００】
ただし、この呼び出し後スライドショーは、これに対応する画像ファイルの受信が予測できないことから、プリセット呼び出し後に直ちに表示できるとは限らない。
【０１０１】
したがって、ＳＬＳ表示処理部２５は、呼び出し対象プリセット情報に対応付けられた対応画像ファイル２６がメモリ１３内に存在する場合には、呼び出し後スライドショー用の画像ファイルの受信を待つことなく、対応画像ファイル２６に対応するスライドショー（以下、プリセットスライドショーと称する）の表示を行うようにしてもよい。
【０１０２】
この場合には、呼び出し後スライドショー用の画像ファイルが受信されたうえで、プリセットスライドショーに割り込むかたちで、あるいは、第１実施形態と同様のトグル操作を待って、呼び出し後スライドショーを表示すればよい。
【０１０３】
これにより、最新のスライドショーを交えて、プリセット呼び出しによって再生されているサービスが所望のサービスであるか否かを判断することができる。
【０１０４】
なお、呼び出し後スライドショーは、プリセットスライドショーとともに図５および図６に示したトグル表示によって切り替え表示される画面の１つに含めてもよい。
【０１０５】
本実施形態の特徴的な作用は、図９に示すように、プリセットキー２１の短押しが行われた場合の動作として説明することができる。
【０１０６】
なお、図９は、図８に示した各工程に、本実施形態に特有の工程を追加したものであるので、この追加した工程に限定して説明する。
【０１０７】
すなわち、本実施形態においては、ステップ１４（ＳＴ１４）とステップ１５（ＳＴ１５）との間にステップ２１（ＳＴ２１）の工程が追加されている。また、本実施形態においては、ステップ２１（ＳＴ２１）とステップ１５（ＳＴ１５）との間においてステップ２２（ＳＴ２２）の工程が実施される場合がある。
【０１０８】
具体的には、ステップ２１（ＳＴ２１）においては、ＳＬＳ表示処理部２５により、呼び出し後スライドショー用の画像ファイルが受信されたか否かを判定する。そして、このステップ２１（ＳＴ２１）において肯定的な判定結果が得られた場合にはステップ２２（ＳＴ２２）に進み、否定的な判定結果が得られた場合にはステップ１５（ＳＴ１５）に進む。
【０１０９】
また、ステップ２２（ＳＴ２２）においては、呼び出し後スライドショーをプリセットスライドショーに割り込んで表示してステップ１５（ＳＴ１５）に進む。
【０１１０】
さらに、本実施形態においては、ステップ１６（ＳＴ１６）の後でステップ２３（ＳＴ２３）およびステップ２４（ＳＴ２４）の各工程が順次実施される。
【０１１１】
具体的には、ステップ２３（ＳＴ２３）においては、ＳＬＳ表示処理部２５により、呼び出し後スライドショー用の画像ファイルが受信されたか否かを判定し、肯定的な判定結果が得られた場合にはステップ２４（ＳＴ２４）に進み、否定的な判定結果が得られた場合には処理を終了する。
【０１１２】
次いで、ステップ２４（ＳＴ２４）において、ＳＬＳ表示処理部２５により、呼び出し後スライドショーを表示して処理を終了する。
【０１１３】
次に、図１０は、本実施形態の変形例を示したものである。
【０１１４】
図１０においては、図９のステップ１７（ＳＴ１７）に相当する判定処理を、図１０のステップ１７−１（ＳＴ１７−１）〜ステップ１７−３（ＳＴ１７−３）のプロセスにしたがって行う。
【０１１５】
すなわち、まず、ステップ１７−１（ＳＴ１７−１）において、ＳＬＳ表示処理部２５により、呼び出し後スライドショー用の画像ファイルが受信されたか否かを判定し、肯定的な判定結果が得られた場合にはステップ１７−２（ＳＴ１７−２）に進み、否定的な判定結果が得られた場合にはステップ１７−３（ＳＴ１７−３）に進む。
【０１１６】
次いで、ステップ１７−２（ＳＴ１７−２）においては、受信された呼び出し後スライドショー用の画像ファイルを、トグル操作で切り替え表示可能なスライドショー用の画像ファイルの１つに含めた上でステップ１７（ＳＴ１７）の判定を行う。
【０１１７】
一方、ステップ１７−３（ＳＴ１７−３）においては、メモリ１３に保存済みの対応画像ファイル２６の数のみに基づいてステップ１７（ＳＴ１７）の判定を行う。
【０１１８】
以上述べたように、本発明によれば、プリセット登録時にＳＬＳ保存処理部２４によって保存したスライドショーを、プリセット呼び出しが行われた際にＳＬＳ表示処理部２５によって表示することができるので、ユーザが、視覚および過去の記憶を通じて再生中のサービスが所望のものであることを容易かつ迅速に把握することができる。
【０１１９】
なお、本発明は、前述した構成に限定されるものではなく、必要に応じて種々変更することができる。
【０１２０】
例えば、本発明は、ＤＡＢだけでなくＤＭＢ（Digital Multimedia Broadcasting）にも有効に適用することができる。
【符号の説明】
【０１２１】
１  ＤＡＢ受信機
２  ＤＡＢチューナ
１０  チャンネルデコーダ部
２３  プリセット登録／呼び出し部
２４  ＳＬＳ保存処理部
２５  ＳＬＳ表示処理部
【図１】
2011114478.tif 000003
【図２】
2011114478.tif 000004
【図３】
2011114478.tif 000005
【図４】
2011114478.tif 000006
【図５】
2011114478.tif 000007
【図６】
2011114478.tif 000008
【図７】
2011114478.tif 000009
【図８】
2011114478.tif 000010
【図９】
2011114478.tif 000011
【図１０】
2011114478.tif 000012